(57)【要約】【課題】取付面が凸状態で、シャフト（作動部材）をケースの端面からさらに奥に押し込むような場合に、タンパースイッチに大きな力が加わり、破壊してしまうおそれがある。取付面が凹状の場合、シャフトがケース内部に充分に押し込まれず、タンパースイッチが反転しないおそれがある。シャフトがケース底面の穴からそのまま外部に突き出ているので、防水性は保たれない。【解決手段】タンパースイッチの作動部材として、強さの異なる２種類のバネを用いた２重スライド構造のものを採用し作動部材のタンパースイッチ側と中央部にフランジを設けた。作動部材のタンパースイッチに接触する端面側が、必要以上にタンパースイッチ側に移動しないようにするため、機器本体側に設けたストッパー部に中央部のフランジが当たり、止まるような構造とし、中央部のフランジとストッパー部との間にパッキンの役目をするスポンジ材を介在させ、防水性を持たせた。【選択図】図６
2010160908.tif 000002
【特許請求の範囲】
【請求項１】
本体に対して着脱自在に接続したカバーを有する屋外用機器のカバーにスイッチを設け、前記スイッチの可動部に先端が当接し、他端は本体の底面を突抜けて裏面に露出するよう配設されたスイッチ駆動部を、前記本体に摺動自在に保持したタンパースイッチの駆動構造であって、前記スイッチ駆動部は、作動部材２と、スイッチ接触フランジ１１と中央フランジ１２とを一体化し、取付面接触部１３を外部バネ７を介して作動部材２に伸縮自在な状態で接続したものであり、外部バネ７よりも力の弱い内部バネ６によりスイッチ接触フランジ１１が内部ストッパー８に密着する位置にて固定されるようにしたものであることを特徴とする屋外用機器のタンパースイッチ駆動構造。
【請求項２】
前記スイッチ接触フランジ１１と内部ストッパー８との間に、追加部材であるスペーサー１５を着脱可能な構造としたことを特徴とする請求項１に記載の屋外用機器のタンパースイッチ駆動構造。
【請求項３】
前記スイッチ駆動部の中央フランジ１２とケース４の凹部との間にスポンジ材１０を配置したことを特徴とする請求項１または請求項２に記載の屋外用機器のタンパースイッチ駆動構造。
【発明の詳細な説明】
【技術分野】
【０００１】
屋外に設置された機器のカバーが開放されたとき、または、機器本体が取付対象物から外されたときに作動するタンパースイッチの駆動構造に関するものである。
【背景技術】
【０００２】
防犯用機器等では、故意にカバーが開放されたとき、または、壁面に設置された機器が壁から外されたときに、その異常を検出する目的で、機器内にタンパースイッチを装備させている。
【０００３】
ひとつのタンパースイッチで、カバーが開放されたこと、または機器本体が壁から外されたことを検出することができるようなものが考え出されていた。例えば、カバーに設けたタンパースイッチの可動部に先端が当接し、他端はケースの底面を突抜けて裏面に露出するように配置されたシャフトを、ケース内に摺動自在に保持したものがある。（例えば特許文献１参照。）
【特許文献１】実開昭６３−９６７３０号公報
【発明の開示】
【発明が解決しようとする課題】
【０００４】
従来のタンパースイッチの駆動構造では、スイッチの有効ストロークが短く、またシャフト（作動部材）にストッパーがないため、取付面が凸状態で、シャフトをケースの端面からさらに奥に押し込むような場合に、タンパースイッチに大きな力が加わり、破壊してしまうおそれがある。逆に、取付面が凹状の場合、シャフトがケース内部に充分に押し込まれず、タンパースイッチが反転しないおそれがある。また、シャフトがケース底面の穴からそのまま外部に突き出ているので、防水性は保たれない。
【課題を解決するための手段】
【０００５】
本発明では、タンパースイッチの作動部材として、強さの異なる２種類のバネを用いた２重スライド構造のものを採用した。
作動部材のタンパースイッチ側と中央部にフランジを設け、作動部材のタンパースイッチに接触する端面側が、必要以上にタンパースイッチ側に移動しないようにするため、機器本体側に設けたストッパー部に中央部のフランジが当たり、止まるような構造とした。
中央部のフランジとストッパー部との間にパッキンの役目をするスポンジ材を介在させ、防水性を持たせた。
作動部材の他端（機器本体から外に突出する部分）には、クッション機能を設け、有効ストローク長に伸縮性を持たす構成とした。
【発明の効果】
【０００６】
本発明によれば、タンパースイッチを作動させるための有効ストローク長や、タンパースイッチの始動位置を設定することができ、機器取付面に凹凸があっても適切な状態で設置することができる。
中央部のフランジとストッパー部との間にスポンジ材を介在させたので、確実な防水をおこなうことができる。
スペーサーを付属させ、そのスペーサーをタンパースイッチ側のフランジと本体間に装着するだけで、機器本体が壁から外されたことを検出する機能だけを停止することができる。
【発明を実施するための最良の形態】
【０００７】
図１〜図６は、本発明の屋外用機器のタンパースイッチの駆動構造を説明するための説明図である。図はすべて断面図であり、各状態別に構成部品の相対的位置関係を示している。図中の１はタンパースイッチ、２は作動部材、３はカバー、４は本体、５は取付面である。６は内部バネ、７は外部バネ、８は内部ストッパー、９は外部ストッパー、１０はスポンジである。１１はスイッチ接触フランジ、１２は中央フランジ、１３は取付面接触部である。
作動部材２とスイッチ接触フランジ１１、中央フランジ１２は一体化されており、取付面接触部１３は外部バネ７を介して、作動部材２に伸縮自在な状態で接続されている。
【０００８】
図１は、カバー３が閉じられ、本体４が取付面５に固定される前の状態を示した図である。作動部材２、スイッチ接触フランジ１１、取付面接触部１３は一体となり内部バネ６により外側に押され、スイッチ接触フランジ１１と内部ストッパー８が当たった状態で固定される。この状態では、タンパースイッチ１は、押されておらず、本体４が取付面５から外された状態（ＯＦＦの状態）となっている。
【０００９】
図２は、カバー３が閉じられ本体４が取付面５に固定される途中の状態を示している。外部バネ７は、内部バネ６よりも強いものにしてある。このため、取付面５に押された取付面接触部１３は、外部バネ７をたわますことなく作動部材２とスイッチ接触フランジ１１と一体となってタンパースイッチ１側へ移動する。途中でタンパースイッチ１がスイッチ接触フランジ１１に押され、ＯＮ状態に切り替わる。
【００１０】
図３は、スポンジ１０が中央フランジ１２に押され圧縮され、中央フランジ１２が、外部ストッパー９に当った状態を示している。さらに取付面５に押された取付面接触部１３は外部バネ７をたわませて本体内部側に移動する。スポンジ１０は本体内部にあり、露出していないようにし、中央フランジ１２により物理的に保護されている。スポンジ１０の材質としては、独立気泡で、且つ残留圧縮歪の小さいシリコーンスポンジが適している。
【００１１】
図４は、本体４が完全に取付面５に固定された状態を示している。中央フランジ１２が外部ストッパー９に当った時にすでに作動部材２とスイッチ接触フランジ１１の移動は止まっており、タンパースイッチ１が破損することはない。
【００１２】
図５は、カバー３が閉じられ、本体４がポールに取付けられた状態を示している。
２点鎖線で示したポールにポール金具１４を介して固定される。
本体４とポールとの間は、ポール金具１４が存在するため、取付面接触部１３は、本体４の表面位置まで押しこまれることはないが、外部バネ７を介して作動部材２に固定された取付面接触部１３により、ストローク長に伸縮性を持たされており、図の状態でタンパースイッチ１はＯＮ状態となっている。
図中破線で示した位置のスイッチ接触フランジ１１の位置が、タンパースイッチ１がＯＮとなる限界位置を示している。
【００１３】
図６は、スペーサー１５を追加した状態を示しており、本体４が取付面５から外されたときに、タンパースイッチ１が作動しない（ＯＦＦとならない）ようにした状態を示した図である。
スペーサー１５がスイッチ接触フランジ１１と、内部ストッパー８との間に挟まれている。スイッチ接触フランジ１１をタンパースイッチ１側に移動させると、内部バネ６の力により内部ストッパー側に戻そうとする力が加わり、ストッパー１５はその間に挟まれた状態で固定される。
この状態は、カバー３が閉じられたときに、タンパースイッチ１とスイッチ接触フランジ１１が接触し、タンパースイッチ１がＯＮとなる位置であり、本体４が取付面５から外されても、スイッチ接触フランジ１１は移動しないため、タンパースイッチがＯＦＦとなることはない。
また、中央フランジ１２がスポンジ１０を圧縮した状態は維持されるので、防水性能は維持される。
【００１４】
以上の通り、本発明によれば、ひとつのタンパースイッチで、カバーの開閉と、本体の取付面からの取り外しを検出することができ、防水性を確保しながら、必要に応じ、本体の取付面からの取り外しを検出する機能を停止させることのできる、屋外用機器のタンパースイッチ駆動構造が実現される。
【図面の簡単な説明】
【００１５】
【図１】本発明の屋外用機器のタンパースイッチの駆動構造を説明するための説明図であり、カバー３が閉じられ、本体４が取付面５に固定される前の状態を示した図である。
【図２】本発明の屋外用機器のタンパースイッチの駆動構造を説明するための説明図であり、カバー３が閉じられ、本体４が取付面５に固定される途中の状態を示した図である。
【図３】本発明の屋外用機器のタンパースイッチの駆動構造を説明するための説明図であり、スポンジ１０が中央フランジ１２に押され圧縮され、中央フランジ１２が、外部ストッパー７に当った状態を示した図である。
【図４】本発明の屋外用機器のタンパースイッチの駆動構造を説明するための説明図であり、本体４が完全に取付面５に固定された状態を示した図である。
【図５】本発明の屋外用機器のタンパースイッチの駆動構造を説明するための説明図であり、カバー３が閉じられ、本体４がポールに取付けられた状態を示した図である。
【図６】本発明の屋外用機器のタンパースイッチの駆動構造を説明するための説明図であり、スペーサー１５を追加した状態を示しており、本体４が取付面５から外されたときに、タンパースイッチ１が作動しない（ＯＦＦとならない）ようにした状態を示した図である。
【符号の説明】
【００１６】
１・・・タンパースイッチ
２・・・作動部材
３・・・カバー
４・・・本体
５・・・取付面
６・・・内部バネ
７・・・外部バネ
８・・・内部ストッパー
９・・・外部ストッパー
１０・・・スポンジ
１１・・・スイッチ接触フランジ
１２・・・中央フランジ
１３・・・取付面接触部
１４・・・ポール金具
１５・・・スペーサー
【図１】
2010160908.tif 000003
【図２】
2010160908.tif 000004
【図３】
2010160908.tif 000005
【図４】
2010160908.tif 000006
【図５】
2010160908.tif 000007
【図６】
2010160908.tif 000008